(57)【要約】【課題】生体の検出対象に光ビームを確実に導くことができるニードル状の出射光制御装置を提供すること。【解決手段】ニードル状の光出射制御装置は、光偏向器から出射される光を入射するグリンレンズと、グリンレンズの後段に光学的に結合され、検出対象に対してグリンレンズから出射される光を集光する対物レンズとを含む。【選択図】図３
2018169246.tif 000002
【特許請求の範囲】
【請求項１】
光偏向器から出射される光信号を入射するグリンレンズと、
前記グリンレンズの後段に光学的に結合され、生体の検出対象に対して、前記グリンレンズから出射される光信号を集光する対物レンズと
を含み、
前記対物レンズおよび前記グリンレンズは、前記検出対象で反射した前記光信号を前記光偏向器へ再び戻すように構成されていることを特徴とするニードル状の出射光制御装置。
【請求項２】
前記グリンレンズの光出射面と前記対物レンズの主点との間の距離は、前記対物レンズの集光距離と等しくなるように設定されることを特徴とする請求項１に記載のニードル状の出射光制御装置。
【請求項３】
光偏向器の後段に、２つのリレーレンズを含んでおり、前記対物レンズの集光距離は、前記２つのリレーレンズ間の距離を変えることにより、可変することを特徴とする請求項１または２に記載のニードル状の出射光制御装置。
【請求項４】
前記グリンレンズおよび前記対物レンズは、前記検出対象側のテレセントリック光学系となるように配置されていることを特徴とする請求項３に記載のニードル状の出射光制御装置。
【発明の詳細な説明】
【技術分野】
【０００１】
本発明は、ＯＣＴ（Optical Coherence Tomography）プローブとして用いられる光偏向器の出射光制御装置に関する。
【０００２】
近年、試料の情報を測定して画像化するイメージングが医療分野においても利用されている。例えば、顕微鏡では、生体組織表面を検出し、内視鏡（胃カメラ）では、消化器の検査または診断のためのイメージを取得する。また、イメージングは、腹腔鏡と呼ばれる硬性内視鏡等を利用して実施されることもある。
【０００３】
このようなイメージング装置では、空間的なレンズ系（リレーレンズ系を含む）または光ファイバなどを利用したイメージガイド等が用いられ、白色光やレーザ照明として、生体組織の表面を２次元画像として取得する技術が確立されている。また、光学的な生体組織の情報を得る手法として、光干渉を利用した断層イメージングを利用する光干渉断層計（ＯＣＴ）が開発され、ＯＣＴは、眼科または循環器内科における利用が急速に進んでいる。
【０００４】
低コヒーレンス光の干渉を利用して画像を得るＯＣＴは、空間分解能が１０μｍ前後で、生体表皮下１〜２ｍｍの組織を非侵襲的に、かつリアルタイムに観察することができる技術として注目されている（非特許文献１）。眼底検査のほかにも、汗腺・毛細血管の観察、内視鏡型ＯＣＴを用いた血管内のイメージングまたは胃壁の観察などの様々な臨床応用が行われている。
【０００５】
図１は、最初に提案された従来のＯＣＴの原理を説明するための図である。  
図１において、マイケルソン型干渉計１００は、光源１０１と、ビームスプリッタ１０２と、参照光ミラー１０３と、ＰＤ（Photo Diode）などの光検出器１０５と、コンピュータ１０６とを備える。参照用ミラー１０３は、図１に示した「Ｍ」の範囲内で移動可能である。
【０００６】
光源１０１からの低コヒーレント光ｄ１０は、ビームスプリッタ１０２により参照光ｄ２０と測定光ｄ３０とに分離され、参照光ｄ２０は、参照用ミラー１０３で反射し、戻り光ｄ２１としてビームスプリッタ１０２に戻る。一方、測定光ｄ３０は、サンプル（試料）１０４で反射し、サンプル光ｄ３１としてビームスプリッタ１０２に戻る。
【０００７】
光検出器１０５では、ビームスプリッタ１０２に戻ってきた光ｄ２１，ｄ３１の光路長差がコヒーレント長より小さい場合には、これらの光ｄ２１，ｄ３１が干渉して干渉信号ｄ４０が得られる。そして、コンピュータ１０６は、干渉信号ｄ４０に基づいて、サンプル１０４の２次元情報を得る。
【０００８】
図１において、コンピュータ１０６では、参照光ミラー１０３を移動させることで、参照光ミラー１０３の位置に応じたサンプル１０４内部の深さ方向の情報も得られる。さらに、不図示のミラー等によって、サンプル光ｄ３１が２次元平面上で走査された場合には、超音波のようなＢモードイメージも得られる。
【０００９】
参照光ミラー１０３を動かして上述した深さ方向の情報を得る装置は、タイムドメインＯＣＴ（ＴＤ−ＯＣＴ）と呼ばれる。従来、ＴＤ−ＯＣＴは、種々の臨床的応用に利用され、ＯＣＴの新たな可能性が期待されていた。しかし、参照光ミラー１０３を機械的に移動させる必要があるため、撮像速度が比較的遅くなる。また、参照光ミラー１０３を高速で移動させることが可能であるとしても、それに伴ってバンド幅が広くなり、結果として、検出感度が低下するという問題があった。
【００１０】
このような問題に対処し、高速化を図るために提案されたのが、フーリエドメインＯＣＴ（ＦＤ−ＯＣＴ）である。このＦＤ−ＯＣＴの一種のＯＣＴとして、掃引光源（swept source）ＯＣＴ（ＳＳ−ＯＣＴ）がある。
【００１１】
図２は、従来のＳＳ−ＯＣＴの原理を説明するための図である。図２の以下の説明では、特に記述しない限り、図１の説明で用いた符号等をそのまま用いる。  
図２において、ＳＳ−ＯＣＴシステム２００では、図１に示したものと同様に、光源１０１と、ビームスプリッタ１０２と、参照光ミラー１０３と、光検出器１０５と、コンピュータ１０６とを備える。一方、図１に示したものと異なり、光源１０１は、掃引光源であり、参照光ミラー１０３は固定されている。
【００１２】
ＳＳ−ＯＣＴシステム２００では、光源１０１からの光ビームｄ１０の波長が周期的に掃引されるので、参照光ｄ２０のアーム（図２では、参照光ミラー１０３とビームスプリッタ１０２との間の距離）を示す光路長Ｌｒと、サンプル光ｄ３１のアーム（図２では、サンプル１０４とビームスプリッタ１０２との間の距離）を示す光路長Ｌｓとの差に応じて、干渉信号ｄ６０の周波数が決まる。
【００１３】
図２において、干渉信号ｄ６０の周波数は、サンプル１０４の位置ｄに対応して与えられることになるため、コンピュータ１０６によって、干渉信号ｄ６０がフーリエ変換されることで、サンプル１０４の深さ方向の情報が得られる。この場合、図１に示したものと異なり、参照光ミラー１０４を動かす必要がないので、参照光ミラー１０４が機械的な手段で安定的に固定される。更に、ＳＳ−ＯＣＴシステム２００は、光源１０１の繰り返し周波数（通常は数１０ｋＨｚ〜１００ｋＨｚ）で高速処理が可能となり、しかも高感度のＯＣＴ画像を得ることができる。
【００１４】
近年、上記のようなＯＣＴシステムの開発は、急速に進展しており、レーザ光源、受光光学系、干渉計、およびデータ処理系については、一部の機能を除いて商用化され、それらは医療現場で利用されている。このような利用状況下において、ＯＣＴシステムの機能性を向上する点については、偏光を利用した目の複屈折測定やドップラー効果を利用した血流測定が行われるなどして、ＯＣＴシステムに付加価値を与えることが検討されている。
【００１５】
ＯＣＴシステムの適用範囲を拡大する点については、ＯＣＴプローブの開発が重要である。ＯＣＴプローブは、レーザ光を患部に照射して患部からの戻り光を検出するためのものである。
【００１６】
例えば、眼科用途では、従来の眼底検査と同様に、患者の頭部を固定してレーザ光を目に照射することになるが、この場合、レーザ光は、ＯＣＴプローブ内に設置されたガルバノスキャナにより２次元スキャン（平面走査）される。また、冠動脈用のＯＣＴシステムでは、光ファイバをカテーテル内に挿入し、冠動脈内に導いたカテーテル先端のＯＣＴプローブ（光学素子）によって、光ファイバに対し垂直方向にレーザ光を照射する。そして、その光ファイバを回転させながら引き抜き、冠動脈の断層増像を長手方向に取得する。このように、ＯＣＴシステムの適用範囲を拡大するには、用途に合ったＯＣＴプローブが必要になる。
【００１７】
従来の整形外科用のＯＣＴプローブについては、研究報告に示されている（非特許文献２）が、これが実用化された例はない。整形外科では、関節炎や軟骨症等を扱うことになるが、これらの多くが関節部分にあるため、ＯＣＴシステムは、侵達度が不十分で皮膚表面からの診断ができない。そのため、このような患部の診断には、硬性鏡（内視鏡）を患部近傍まで導いてレーザ光を照射し、その戻り光を検出するＯＣＴプローブが必要である。整形外科で使用されていた従来の硬性内視鏡では、ＣＣＤカメラ等によって患部表面のみが撮像され、患部の組織の深さ方向の情報を得ることができない。
【００１８】
ここで、電気光学結晶であるタンタル酸ニオブ酸カリウム（ＫＴＮ）結晶を用いた光スキャナーが開発され、高速かつ柔軟な光スキャンが実現している。この光スキャナーは、ビームの偏向を電気的に行う電気光学偏向器（ＥＯ偏向器）であり、透過型の光偏向器である。このため、ＥＯ偏向器は、ミラーを機械的に移動させる偏向器に比べ、小型かつ軽量化が実現できる。
【００１９】
また、ＥＯ偏向器のほかにも、ＭＥＭＳ（Micro Electro Mechanical Systems）等の利用が検討されているが、これは小型ではあるものの、ペン型のような形状のＯＣＴプローブとするのが困難であった。
【００２０】
ＫＴＮ光偏向器は、電気光学効果を用いたスキャナーである。ＫＴＮ光偏向器では、レーザ光が透過する断面積があれば光スキャンが可能である。すなわち、電圧制御で可動する部分がなく、安定した光スキャンが可能である。また、ＫＴＮ光偏向器は、透過光学系であるため、硬性内視鏡として利用するための小型化実装が可能になる。
【００２１】
ＫＴＮ光偏向器は、１台で１軸（ｘ）のスキャンができるので、２台のＫＴＮ偏向器で２軸（ｘ、ｙ）のスキャンを行うことにより２次元のイメージが得られる。また、これと深さ方向のイメージングとを組み合わるようにして、生体の３次元イメージを高速かつリアルタイムにイメージングすることができる。
【先行技術文献】
【非特許文献】
【００２２】
【非特許文献１】D.Huang他８名、“Optical coherence tomography”、Science. 254、pp. 1178-1181
【非特許文献２】Christopher Rashidifard他４名、“The Application of Optical Coherence Tomography in Musculoskeletal Disease”、Arthritis、Volume 2013 (2013)
【発明の概要】
【発明が解決しようとする課題】
【００２３】
上記のような光偏向器によって、生体のイメージングが可能になる。しかし、生体内のイメージングでは、生体内の部位等によっては検出対象にレーザ光を照射するのが難しい場合があり得る。
【００２４】
上述した観点に鑑み、本発明の目的は、生体の検出対象に光ビームを確実に導くとともにその検出対象からの戻り光を検出するようにすることができるＯＣＴプローブの先端装置を提供することである。
【課題を解決するための手段】
【００２５】
上記の課題を解決するため、本発明は、ＯＣＴプローブの光偏向器から出射される光信号を入射するグリン（ＧＲＩＮ：Gradient Index Rod）レンズと、前記グリンレンズの後段に光学的に結合され、生体の検出対象に対して、前記グリンレンズから出射される光信号を集光する対物レンズとを含み、前記対物レンズおよび前記グリンレンズは、前記検出対象で反射した前記光信号を前記光偏向器へ再び戻すように構成されている。
【００２６】
前記グリンレンズの光出射面と前記対物レンズの主点との間の距離は、前記対物レンズの集光距離と等しくなるように設定されるようにしてもよい。
【００２７】
前記ＯＣＴプローブは、前記光偏向器の後段に、２つのリレーレンズを含んでおり、前記対物レンズの集光距離は、前記２つのリレーレンズ間の距離を変えることにより、可変するようにしてもよい。
【００２８】
前記グリンレンズおよび前記対物レンズは、前記検出対象側のテレセントリック光学系となるように配置されているようにしてもよい。
【発明の効果】
【００２９】
本発明によれば、生体の検出対象に光ビームを確実に導くとともにその検出対象からの戻り光を検出するようにすることができる。
【図面の簡単な説明】
【００３０】
【図１】従来のＯＣＴの原理を説明するための図である。
【図２】従来の波長掃引型ＯＣＴの原理を説明するための図である。
【図３】実施形態におけるＯＣＴシステムの全体構成の一例を示す概略図である。
【図４】図３の2次元光偏向器および出射光制御装置の構成例を詳細に示す概略図である。
【図５】図３の先端装置で実現されるテレセントリック光学系を説明するための図である。
【図６】光ビームが伝搬する様子を示す図である。
【図７】ＯＣＴシステムによって得られたＯＣＴ画像の一例を示す図である。
【発明を実施するための形態】
【００３１】
以下、本実施形態におけるＯＣＴプローブの先端装置を含むＯＣＴシステムについて、図面を参照して説明する。本実施形態のＯＣＴシステムは、カプラを用いた光周波数掃引型ＯＣＴ（ＳＳ−ＯＣＴ）である。
【００３２】
図３は、本実施形態におけるＯＣＴシステム３００の全体構成の一例を示す概略図である。  
図３に示すように、ＯＣＴシステム３００は、波長掃引光源１と、偏光コントローラ２と、マッハツェンダ部３と、参照光ミラー４と、バランス検出器５と、信号処理装置６と、ファンクションジェネレータ７と、ドライバ８と、2次元光偏向器（スキャン部）９と、先端装置（出射光制御装置）１０とを備える。
【００３３】
波長掃引光源１は、発振光周波数を掃引する。この実施形態では、例えば、整形外科での使用を想定するので、掃引される光周波数の中心波長を１３１０ｎｍとする（１２５０ｎｍ−１３６０ｎｍ）。この波長掃引光源１は、例えば、１００ｋＨｚの高周波で光ビームの波長を掃引する。平均出力は２０ｍＷである。
【００３４】
偏光コントローラ２は、波長掃引光源１からの光ビームを直線偏光する。
【００３５】
マッハツェンダ部３は、カプラ３１，３４と、サーキュレータ３２，３３とを含み、それらの構成要素３１〜３４は光ファイバ３５で接続されている。カプラ３１は、１入力２出力で構成され、偏光コントローラ２からの光ビームｄ１１を、１０（参照光ミラー４側）：９０（ＯＣＴプローブ９側）の分岐比で、参照光ｄ１２と測定光ｄ１３とに分岐して出力する。
【００３６】
サーキュレータ３２は、参照光ミラー４で反射した参照光ｄ１２の戻り光ｄ１４を取り出してカプラ３４へ出力する。サーキュレータ３３は、サンプル１０４で反射した測定光ｄ１３の戻り光ｄ１５を取り出してカプラ３４へ出力する。カプラ３４は、２入力２出力で構成され、サーキュレータ３２からの戻り光ｄ１４とサーキュレータ３３からの戻り光ｄ１５とを、５０：５０の分岐比で分岐し、分岐した光信号ｄ１６，ｄ１７をバランス検出器５へ出力する。
【００３７】
バランス検出器５は、２つの光信号ｄ１６，ｄ１７の差分をとることで雑音を低減し、その差分に基づく信号を、電気信号としての干渉信号ｄ１８に変換して出力する。バランス検出器５は、ＰＤ（Photo Diode）等を含む。
【００３８】
信号処理装置６は、例えば、上述した干渉信号ｄ１８に基づいてサンプル１０４からの戻り光ｄ１５の強度および時間ずれを検出して後述するＯＣＴ画像を得る。ＯＣＴ画像は、２次元情報または３次元情報等を含む。
【００３９】
この実施形態において、信号処理装置６は、１２ビットのＤＡＱ（データ収集）ボードを搭載しており、このＤＡＱボードによって、バランス検出器５からの干渉信号ｄ１８を高速でＡ／Ｄ変換して収集する。さらに、信号処理装置６は、収集された干渉信号ｄ１８を離散的フーリエ変換してＯＣＴ画像を得る。
【００４０】
信号処理装置６は、上記ＯＣＴ画像を生成するためのフレームトリガ信号ｄ１９を出力する。
【００４１】
ファンクションジェネレータ７は、波長掃引光源１からのＡライントリガ信号（１００ｋＨｚ）ｄ１００に同期して、フレームトリガ信号ｄ１９に基づく三角波信号（１００Ｈｚ）ｄ２０，ｄ２１を出力する。
【００４２】
ドライバ８は、ファンクションジェネレータ７からの三角波信号ｄ２０，ｄ２１に応じて、後述する1次元光偏向器９１ａ，９１ｂに印加するための駆動信号ｄ２２，ｄ２３を出力する。駆動信号ｄ２２，ｄ２３は、例えば、三角波などの電圧信号である。
【００４３】
2次元光偏向器９には、測定光（光ビーム）ｄ１３をサンプル１０４に導く先端装置１０が取り付けられている。2次元光偏向器９に入射した測定光ｄ１３は、先端装置１０から、生体組織等のサンプル（検出対象）１０４に照射される。そして、サンプル１０４で測定光ｄ１３が反射した戻り光ｄ１５は、先端装置１０を介して、2次元光偏向器９内の1次元光偏向器９１ｂ側へ再び戻される。
【００４４】
図４は、光偏向器９および先端装置１０の内部の概略構成例を示す図である。  
図４に示すように、2次元光偏向器９は、直列に配置された２つの1次元光偏向器９１ａ，９１ｂを含む。1次元光偏向器９１ａ，９１ｂは、駆動信号ｄ２２，ｄ２３を印加する方向が直交するように配置されている。この実施形態では、1次元光偏向器９１ａは、Ｘ方向に光ビームをスキャン（平面走査）し、1次元光偏向器９１ｂは、Ｙ方向に光ビームをスキャンする。
【００４５】
1次元光偏向器９１ａ，９１ｂは、例えば、タンタル酸ニオブ酸カリウム（ＫＴＮ）結晶を用いた光偏向器である。ＫＴＮ結晶に駆動信号ｄ２２，ｄ２３が与えられた場合、ＫＴＮ結晶内の屈折率が変化し、ＫＴＮ結晶中の光ビームが偏向する。このような構成によって、1次元光偏向器９１ａ，９１ｂでは、光ビームをＸ方向またはＹ方向にスキャンすることができる。
【００４６】
半波長板９５は、２つの1次元光偏向器９１ａ，９１ｂの間に設けられ、光ビームの偏光方向を９０度回転させる。半波長板９５は、例えば、偏光子である。
【００４７】
４つのレンズ９２，９３，９４，９６は、1次元光偏向器９１ａ，９１ｂで光の偏向を補償するために設けられる。レンズ９２として、例えばシリンドリカルレンズが用いられ、レンズ９３，９４，９６として、例えば球面凹レンズが用いられる。ただし、これらに限られず、レンズ９２〜９４，９６として、例えば、球面両凹レンズ、シリンドリカルレンズ、グリンレンズなどを用いることもできる。
【００４８】
リレーレンズ９７，９８は、光偏向器９１ｂの出射面側で、Ｘ方向およびＹ方向のスキャン原点が一致させるようになっている。図４の例では、リレーレンズ９７，９８間の距離は、例えば、２１．１１ｍｍ（光学設計基準）である。
【００４９】
先端装置１０は、グリンレンズ１１と対物レンズ１２とを備える。後述のように、先端装置１０は、サンプル１０４へ測定光ｄ１３を導くとともに、サンプル１０４で測定光ｄ１３が反射した戻り光ｄ１５を検出することができるようにニードル状に形成される。
一般に、レンズ系を構成するガラスは、屈折率が均一であるが、グリンレンズは、ガラスの屈折率が均一ではなく、屈折率の分布を有する。この実施形態では、例えば、グリンレンズとしては、媒質自体が屈折率の分布を有するセルフォック（ＳＥＬＦＯＣ）（登録商標）を用いるが、例えば、光軸から垂直方向に屈折率の分布を有するものなどを用いるようにしてもよい。
【００５０】
グリンレンズ１１は、サンプル１０４としての生体組織へ測定光ｄ１３を導くとともに、サンプル１０４で反射した測定光ｄ１３の戻り光ｄ１５をＯＣＴプローブ９側へ再び戻すように構成されている。グリンレンズ１１の寸法は、例えば、表皮から生体組織（サンプル）までの深さ等（生体内の部位等）を勘案して設定することになる。この実施形態では、円筒型のグリンレンズは、例えば、光学設計基準で、直径を２．０ｍｍとし、長さを２１．０ｍｍとするが、変更することもできる。
【００５１】
対物レンズ１２は、例えば凸レンズである。この対物レンズ１２は、グリンレンズ１１とサンプル１０４との中間に配置される。図４の例では、対物レンズ１２とグリンレンズ１１との間の距離と、対物レンズ１２とサンプル１０４との間の距離はともに、「Ｆ」である。これにより、サンプル１０４側において、光軸と主光線が平行とみなせることが可能なテレセントリック光学系が実現され、情報処理装置６の表示装置において、観察される像が、像高（像点と光軸との高さ）によって変わらない高品質な像が得られる。この実施形態では、光軸に対する主光線の角度ずれを示すテレセン角度は、例えば最大で０．１１°とする。
【００５２】
図５は、先端装置１０における光路のシミュレーション結果を例示している。  
図５に示した例では、例えば、ＳｉＯ2を主成分とする窓ガラス（厚み：０．５ｍｍ）３０１を用いている。図５において、対物レンズ１２からの集光位置Ｌは、窓ガラス３０１から１．０ｍｍの距離に位置する媒質（屈折率：１．４）中の位置を示している。この集光位置Ｌは、図３に示したサンプル１０４の位置に相当する。
【００５３】
図６は、2次元光偏向器９および先端装置１０内で光ビームが伝搬する様子を例示する図であって、（ａ）は2次元光偏向器９および先端装置１０の内部配置と、（ｂ）はＸ方向の像点と光軸との高さと、（ｃ）はＹ方向の像点と光軸との高さとを示す。  
図６に示した例では、サンプル１０４面で光ビームが集光することになるが、この集光位置は、２つのリレーレンズ９７，９８間の距離Ｄを変えることで、光ビームのコリメート光のビーム径が変わるので、変更することができる。このことは、先端装置１０が、リレーレンズ機能を有するニードル（サンプル１０４に所定のスポットサイズで集光させるもの）となることに等しく、これにより、サンプル１０４のＯＣＴ診断が確実に行える。
【００５４】
図７は、ＯＣＴシステムによって得られたＯＣＴ画像を例示している。  
図７に例示したＯＣＴ画像は、ヒトの指先（サンプル１０４）であり、指先の表皮と汗腺とが観察することができる。
【００５５】
このＯＣＴ画像は、１つの1次元光偏向器９１ａのみに駆動信号ｄ２２としての三角波電圧（４８０Ｖ、１００Ｈｚ）を印加して得た。参照光ミラー４からの戻り光ｄ１４のビームパワーは１０７μＷで、サンプル１０４（指先）からの戻り光ｄ１５のビームパワーは１６４μＷであった。
【００５６】
上記の結果と、参照光ｄ１２（戻り光ｄ１４を含む）と測定光ｄ１３（戻り光ｄ１５を含む）との間の光路長差の平均値とから、指先（生体）の屈折率を例えば１．４１とすると、Ｚ（光軸）方向の撮像範囲は、１．４９ｍｍになった。図７に示したように、2次元光偏向器９に取り付けられた先端装置１０によって、ヒトの指先としてのサンプル１０４の２次元ＯＣＴ画像が得られることが示された。
【００５７】
以上説明した本実施形態の先端装置１０は、2次元光偏向器９（1次元光偏向器９１ｂ）からの測定光ｄ１３を入射するグリンレンズ１１と、サンプル１０４に対してグリンレンズ１１から出射される測定光ｄ１３を集光する対物レンズ１２とを含み、対物レンズ１２およびグリンレンズ１１は、サンプル１０４で反射した測定光ｄ１３を2次元光偏向器９（1次元光偏向器９１ｂ）へ再び戻す。ここで、サンプル１０４は、生体組織等であるので、生体組織等に測定光ｄ１３を確実に導くとともにその生体組織等からの戻り光ｄ１５を検出するようにすることができる。
【００５８】
この場合、従来のＯＣＴシステムでは実現できなかったレーザースキャンによる生体内部の２次元及び３次元イメージがリアルタイムで取得できる医療用の光偏向器の先端装置１０が実現できる。これまでの硬性内視鏡のように、単に照明によるイメージングに留まらず、組織診断をリアルタイムに行いながら治療を可能とする硬性内視鏡を構成できる。特に、本実施形態のグリンレンズ１１を含んだニードル状の出射光制御装置は、単に表皮などのイメージングに留まっていたＯＣＴを腹腔鏡施術などの治療への適用が可能になる等の効果が期待できる。
【００５９】
なお、ＯＣＴシステム３００は、上記実施形態で例示したものに限られない。例えば、1次元光偏向器９１ａ，９１ｂは、ＫＴＮ結晶のほかに、リチウムをドープしたＫＬＴＮ結晶を用いるようにしてもよい。
【符号の説明】
【００６０】
１  波長掃引光源
２  偏光コントローラ
３  マッハツェンダ部
４  参照光ミラー
５  バランス検出器
６  信号処理装置
７  ファンクションジェネレータ
８  ドライバ
９  2次元光偏向器
１０  先端装置
３００  ＯＣＴシステム
ｄ１２  参照光
ｄ１３  測定光
【図１】
2018169246.tif 000003
【図２】
2018169246.tif 000004
【図３】
2018169246.tif 000005
【図４】
2018169246.tif 000006
【図５】
2018169246.tif 000007
【図６】
2018169246.tif 000008
【図７】
2018169246.tif 000009